(57)【要約】【課題】再利用のための予備のカードの補充／回収、モード切替え、ハードリセット、ハードリセット後の履歴情報の表示等の操作を携帯端末装置で遠隔操作できる構成とし、係員の作業負担を大幅に軽減する。【解決手段】投入された貨幣に応じて有価価値情報をカードＣに書込可能で且つ挿入されたカードＣの有価価値情報を読込可能なリードライト部１７と、再利用のためのカードＣを収納する収納部１９と、収納部１９とリードライト部１７との間でカードＣを搬送する搬送手段と、携帯端末装置４００からの信号を受信する受信部３０３とを備えた遊技媒体貸出装置１に対して、遊技媒体貸出装置１の制御部に対する指示を入力するためのボタン４０２、４０３、４０４と、送信部４０５とが設けられた携帯端末装置４００から信号を送信し、遊技媒体貸出装置１を遠隔操作するように構成した。【選択図】      図２
2005058389.tif 000002
【特許請求の範囲】
【請求項１】
カード状記憶媒体が挿入又は排出されるカード挿入口と、
投入された貨幣の価値に応じて有価価値情報をカード状記憶媒体に書込可能で且つカード状記憶媒体の有価価値情報を読取可能なリードライト部と、
カード状記憶媒体を収納する収納部と、
前記カード挿入口と前記収納部との間でカード状記憶媒体を搬送する搬送手段と、
制御部とを有する遊技媒体貸出装置、及び
該遊技媒体貸出装置の該制御部に対する指示を入力するための入力部と、
入力された指示に応じた信号を送信する送信部とを有する遠隔操作端末装置を備え、
前記遊技媒体貸出装置は、前記遠隔操作端末装置から送信された信号を受信する受信部を更に有し、
前記制御部は、該受信部が受信した信号に応じた制御を実行すべくなしたことを特徴とする遊技媒体貸出装置遠隔操作システム。
【請求項２】
前記制御は、前記搬送手段によるカード状記憶媒体の搬送動作の制御を含むことを特徴とする請求項１に記載の遊技媒体貸出装置遠隔操作システム。
【請求項３】
前記制御は、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする請求項１に記載の遊技媒体貸出装置遠隔操作システム。
【請求項４】
前記制御は、カード状記憶媒体を前記収納部に補充する制御を含み、前記遊技媒体貸出装置の前記制御部は、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御すべくなしたことを特徴とする請求項３に記載の遊技媒体貸出装置遠隔操作システム。
【請求項５】
前記制御は、カード状記憶媒体を装置外部へ排出する制御を含み、前記遊技媒体貸出装置の前記制御部は、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御すべくなしたことを特徴とする請求項３に記載の遊技媒体貸出装置遠隔操作システム。
【請求項６】
前記制御は、前記遊技媒体貸出装置の異常状態を示す情報の表示解除及び／又は異常状態解除の制御を含み、前記遊技媒体貸出装置の前記制御部は、前記異常状態を示す情報の表示を解除すべき信号及び／又は異常状態を解除すべき信号を前記受信部が受信した場合、前記異常状態を示す情報の表示及び／又は異常状態を解除するように制御すべくなしたことを特徴とする請求項１に記載の遊技媒体貸出装置遠隔操作システム。
【請求項７】
前記遊技媒体貸出装置は、装置の状態を示す情報を蓄積する蓄積手段を更に有し、前記制御は、該蓄積手段が蓄積している情報の読み出し、及び読み出した該情報の所定表示部への表示の制御を含むことを特徴とする請求項１に記載の遊技媒体貸出装置遠隔操作システム。
【請求項８】
カード状記憶媒体が挿入又は排出されるカード挿入口と、
投入された貨幣の価値に応じて有価価値情報をカード状記憶媒体に書込可能で且つカード状記憶媒体の有価価値情報を読取可能なリードライト部と、
カード状記憶媒体を収納する収納部と、
前記カード挿入口と前記収納部との間でカード状記憶媒体を搬送する搬送手段と、
制御部と、
遠隔操作端末装置から送信された信号を受信する受信部とを備え、
前記制御部は、該受信部が受信した信号に応じた制御を実行すべくなしたことを特徴とする遊技媒体貸出装置。
【請求項９】
前記遠隔操作端末装置から受信した信号に応じた前記制御に相当する制御を前記制御部に実行させる指示を入力するための入力部を更に備えたことを特徴とする請求項８に記載の遊技媒体貸出装置。
【請求項１０】
前記制御は、前記搬送手段によるカード状記憶媒体の搬送動作の制御を含むことを特徴とする請求項８又は９に記載の遊技媒体貸出装置。
【請求項１１】
前記制御は、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする請求項８又は９に記載の遊技媒体貸出装置。
【請求項１２】
前記制御は、カード状記憶媒体を前記収納部に補充する制御を含み、前記遊技媒体貸出装置の前記制御部は、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御すべくなしたことを特徴とする請求項１１に記載の遊技媒体貸出装置。
【請求項１３】
前記制御は、カード状記憶媒体を装置外部へ排出する制御を含み、前記遊技媒体貸出装置の前記制御部は、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御すべくなしたことを特徴とする請求項１１に記載の遊技媒体貸出装置。
【請求項１４】
カード状記憶媒体が挿入又は排出されるカード挿入口、投入された貨幣の価値に応じて有価価値情報をカード状記憶媒体に書込可能で且つカード状記憶媒体の有価価値情報を読取可能なリードライト部、カード状記憶媒体を収納する収納部、前記カード挿入口と前前記収納部との間でカード状記憶媒体を搬送する搬送手段、制御部及び受信部を有する遊技媒体貸出装置に対して、前記搬送手段によるカード状記憶媒体の搬送動作を制御させる指示を入力するための入力部と、
入力部により入力された指示に応じた信号を前記遊技媒体貸出装置へ送信する送信部とを備えたことを特徴とする遠隔操作端末装置。
【請求項１５】
カード状記憶媒体が挿入又は排出されるカード挿入口、投入された貨幣の価値に応じて有価価値情報をカード状記憶媒体に書込可能で且つカード状記憶媒体の有価価値情報を読取可能なリードライト部、カード状記憶媒体を収納する収納部、前記カード挿入口と前前記収納部との間でカード状記憶媒体を搬送する搬送手段、制御部及び受信部を有する遊技媒体貸出装置に対して、該遊技媒体貸出装置の状態を、カード状記憶媒体の利用が可能な通常運用状態から、カード状記憶媒体の利用を不可能にして遊技媒体貸出装置の保守を可能にする保守状態へ、又は保守状態から通常運用状態へ変更させる指示を入力するための入力部と、
入力部により入力された指示に応じた信号を前記遊技媒体貸出装置へ送信する送信部とを備えたことを特徴とする遠隔操作端末装置。
【請求項１６】
前記指示は、前記遊技媒体貸出装置の前記収納部にカード状記憶媒体を補充させる指示を含むことを特徴とする請求項１５に記載の遠隔操作端末装置。
【請求項１７】
前記指示は、前記遊技媒体貸出装置の前記収納部に収納されているカード状記憶媒体を装置外部へ排出させる指示を含むことを特徴とする請求項１５に記載の遠隔操作端末装置。
【請求項１８】
前記指示は、前記遊技媒体貸出装置の異常状態を示す情報の表示解除及び／又は異常状態の解除を含むことを特徴とする請求項１５に記載の遠隔操作端末装置。
【請求項１９】
前記指示は、前記遊技媒体貸出装置に蓄積されている、該遊技媒体貸出装置の状態を示す情報の読み出し、及び読み出した該情報の所定表示部への表示の指示を含むことを特徴とする請求項１５に記載の遠隔操作端末装置。
【請求項２０】
カード状記憶媒体が挿入又は排出されるカード挿入口と、投入された貨幣の価値に応じて有価価値情報をカード状記憶媒体に書込可能で且つカード状記憶媒体の有価価値情報を読取可能なリードライト部と、カード状記憶媒体を収納する収納部と、前記カード挿入口と前記収納部との間でカード状記憶媒体を搬送する搬送手段と、遠隔操作端末装置から送信された信号を受信する受信部とを備えた遊技媒体貸出装置をコンピュータに制御させるコンピュータプログラムにおいて、
コンピュータを、前記受信部が受信した信号に応じた制御を実行する手段として機能させることを特徴とするコンピュータプログラム。
【請求項２１】
前記遊技媒体貸出装置は、前記遠隔操作端末装置から受信した信号に応じた前記制御に相当する制御を前記コンピュータに実行させる指示を入力するための入力部を更に備え、前記コンピュータを該入力部により入力された指示に応じた制御を実行する手段として機能させることを特徴とする請求項２０に記載のコンピュータプログラム。
【請求項２２】
前記制御は、前記搬送手段によるカード状記憶媒体の搬送動作の制御を含むことを特徴とする請求項２０又は２１に記載のコンピュータプログラム。
【請求項２３】
前記制御は、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする請求項２０又は２１に記載のコンピュータプログラム。
【請求項２４】
前記制御は、カード状記憶媒体を前記収納部に補充する制御を含み、前記コンピュータを、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御する手段として機能させることを特徴とする請求項２３に記載のコンピュータプログラム。
【請求項２５】
前記制御は、カード状記憶媒体を装置外部へ排出する制御を含み、前記コンピュータを、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御する手段として機能させることを特徴とする請求項２３に記載のコンピュータプログラム。
【請求項２６】
カード状記憶媒体が挿入又は排出されるカード挿入口と、投入された貨幣の価値に応じて有価価値情報をカード状記憶媒体に書込可能で且つカード状記憶媒体の有価価値情報を読取可能なリードライト部と、カード状記憶媒体を収納する収納部と、前記カード挿入口と前記収納部との間でカード状記憶媒体を搬送する搬送手段と、遠隔操作端末装置から送信された信号を受信する受信部とを備えた遊技媒体貸出装置をコンピュータに制御させるコンピュータプログラムが記録されており、コンピュータでの読み取りが可能な記録媒体において、
コンピュータを、前記受信部が受信した信号に応じた制御を実行する手段として機能させるコンピュータプログラムを記録してあることを特徴とする記録媒体。
【請求項２７】
前記遊技媒体貸出装置は、前記遠隔操作端末装置から受信した信号に応じた前記制御に相当する制御を前記コンピュータに実行させる指示を入力するための入力部を更に備え、前記コンピュータを該入力部により入力された指示に応じた制御を実行する手段として機能させるコンピュータプログラムを記録してあることを特徴とする請求項２６に記載の記録媒体。
【請求項２８】
前記制御は、前記搬送手段によるカード状記憶媒体の搬送動作の制御を含むことを特徴とする請求項２６又は２７に記載の記録媒体。
【請求項２９】
前記制御は、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする請求項２６又は２７に記載の記録媒体。
【請求項３０】
前記制御は、カード状記憶媒体を前記収納部に補充する制御を含み、前記コンピュータを、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御する手段として機能させるコンピュータプログラムを記録してあることを特徴とする請求項２９に記載の記録媒体。
【請求項３１】
前記制御は、カード状記憶媒体を装置外部へ排出する制御を含み、前記コンピュータを、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御する手段として機能させるコンピュータプログラムを記録してあることを特徴とする請求項２９に記載の記録媒体。
【発明の詳細な説明】
【技術分野】
【０００１】
本発明は、パチンコホール等の遊技場において、ＩＣカード等の記録媒体に記録された記録情報に基づき、遊技玉又はコイン等の遊技媒体の貸出をパチンコ機又はスロットマシン等の遊技機に対して指示する遊技媒体貸出装置に対して、記録媒体の補充／回収、エラー情報の表示解除、ハードリセット等を携帯端末装置によって遠隔操作するシステム及びこのシステムを構成する遊技媒体貸出装置、遠隔操作端末装置、さらにコンピュータを前記遊技媒体貸出装置として機能させるためのコンピュータプログラム、及びこのコンピュータプログラムを記録した記録媒体に関する。
【背景技術】
【０００２】
パチンコホール等の遊技場において、パチンコ機及びスロットマシン等の遊技機で使用するパチンコ玉及びメダル等の遊技媒体の借り入れを行うために、ＩＣカード等の記録媒体に記録された記録情報（例えば、記録媒体を識別するための識別子、記録媒体の発行年月日及び消費額等）に基づいて、隣接するパチンコ機又はスロットマシン等の遊技機に対して遊技媒体の貸出を指示する遊技媒体貸出装置が配置されている。
【０００３】
このような遊技媒体貸出装置として、紙幣識別機を搭載し、遊技客が投入した貨幣に応じた金額価値を、予めリーダライタに保持されているカードに書き込み、遊技媒体の借り入れを可能とし、遊技客がプリペイドカードを事前に購入しておかなくても、又は遊技中に離席して券売機でプリペイドカードを購入して来なくても遊技を継続できる装置がある。
【０００４】
この装置では、挿入されたカードに記録された価値を遊技客が使い切った場合、リーダライタに一時的にカードを保持して次回の入金に備える。遊技台の移動等の理由で、リーダライタにカードが保持されている状態の遊技媒体貸出装置に他の遊技台で使用していた別のカードを挿入する場合、遊技客は返却ボタンを押下してリーダライタに保持されているカードを装置内に回収させる仕組みになっている。しかし、装置内にカードが回収された状態のまま、新たに挿入されたカードが取り出されてしまった場合、入金が不可能になるので、入金を希望する遊技客は遊技場の係員を呼び、カードを挿入してもらわなければならない。
【０００５】
このような不具合を解消するために、新たにカードが挿入された場合はリーダライタに保持していたカードを装置内部の収納部に貯留しておき、挿入されたカードが取り出された場合は貯留しているカードの１枚をリーダライタに戻し、一方、挿入されたカードの価値が使い切られた場合は、このカードをリーダライタに保持させて次回の入金に備える仕組みを設けた遊技媒体貸出装置が提案されている（特許文献１参照）。
【０００６】
【特許文献１】特開２０００−２７６６３３号公報（第４〜６頁、図４）
【発明の開示】
【発明が解決しようとする課題】
【０００７】
前述のような遊技媒体貸出装置では、カードを貯留する収納部の容量に限界があるので、価値を使い切ったカードを無制限に貯留し続けることは不可能である。従って、貯留カードの枚数が容量の限界に達した場合、係員は遊技機を開けて遊技媒体貸出装置のロック機構を解錠して収納部の蓋を開け、貯留カードを何枚か取り出しすという煩雑な作業をしなくてはならない。
【０００８】
またカードの返却が連続する等して貯留カードが無くなった場合、係員はカード挿入口からカードを順次送り込んで補充するが、カードがリーダライタを通過する際、カードに記録されている情報を読み取る状態に設定されたままでは補充作業に長時間を要して作業効率が低い。
【０００９】
また、遊技媒体貸出装置にエラーが発生した場合、一般的には電源を遮断した後に再投入するハードリセットが行われるが、そのとき係員は遊技機を開けてその裏側の電源部にて遮断／再投入の作業を行わなければならないので、エラー時の作業が繁雑である。
【００１０】
また、ハードリセット後は、遊技媒体貸出装置の位置情報、前回の取引金額等、遊技媒体貸出装置の記憶部に退避されていた情報を、例えば遊技機の表示部に表示させて確認する作業が必要になるが、この情報を表示させるためには装置に設けられている所定のボタンを操作しなければならないのでエラー時の作業がさらに煩雑になる。
【００１１】
本発明は、このような問題点を解決するためになされたものであり、再利用する予備のカードの補充／回収、補充／回収のための装置状態の切替え、遊技媒体貸出装置のハードリセット、ハードリセット後の確認用の情報の表示等、従来係員が装置まで出向いて行っていた操作を携帯端末装置で遠隔操作できる構成とすることにより、遊技客の利便性を損なうことなく、カードの補充／回収、措置状態の切替え、ハードリセット、確認用の情報の表示等の操作を簡略にして係員への負担を大幅に軽減する遊技媒体貸出装置遠隔操作システム及びこのシステムを構成する遊技媒体貸出装置、遠隔操作端末装置、さらにコンピュータを前記遊技媒体貸出装置として機能させるためのコンピュータプログラム、及びこのコンピュータプログラムを記録した記録媒体の提供を目的とする。
【課題を解決するための手段】
【００１２】
請求項１に記載の遊技媒体貸出装置遠隔操作システムは、カード状記憶媒体が挿入又は排出されるカード挿入口と、投入された貨幣の価値に応じて有価価値情報をカード状記憶媒体に書込可能で且つカード状記憶媒体の有価価値情報を読取可能なリードライト部と、カード状記憶媒体を収納する収納部と、前記カード挿入口と前記収納部との間でカード状記憶媒体を搬送する搬送手段と、制御部とを有する遊技媒体貸出装置、及び該遊技媒体貸出装置の該制御部に対する指示を入力するための入力部と、入力された指示に応じた信号を送信する送信部とを有する遠隔操作端末装置を備え、前記遊技媒体貸出装置は、前記遠隔操作端末装置から送信された信号を受信する受信部を更に有し、前記制御部は、該受信部が受信した信号に応じた制御を実行すべくなしたことを特徴とする。
【００１３】
請求項２に記載の遊技媒体貸出装置遠隔操作システムは、請求項１に記載の前記制御が、前記搬送手段によるカード状記憶媒体の搬送動作の制御を含むことを特徴とする。
【００１４】
請求項３に記載の遊技媒体貸出装置遠隔操作システムは、請求項１に記載の前記制御が、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする。
【００１５】
請求項４に記載の遊技媒体貸出装置遠隔操作システムは、請求項３に記載の前記制御が、カード状記憶媒体を前記収納部に補充する制御を含み、前記遊技媒体貸出装置の前記制御部は、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御すべくなしたことを特徴とする。
【００１６】
請求項５に記載の遊技媒体貸出装置遠隔操作システムは、請求項３に記載の前記制御が、カード状記憶媒体を装置外部へ排出する制御を含み、前記遊技媒体貸出装置の前記制御部は、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御すべくなしたことを特徴とする。
【００１７】
請求項６に記載の遊技媒体貸出装置遠隔操作システムは、請求項１に記載の前記制御が、前記遊技媒体貸出装置の異常状態を示す情報の表示解除及び／又は異常状態解除の制御を含み、前記遊技媒体貸出装置の前記制御部は、前記異常状態を示す情報の表示を解除すべき信号及び／又は異常状態を解除すべき信号を前記受信部が受信した場合、前記異常状態を示す情報の表示及び／又は異常状態を解除するように制御すべくなしたことを特徴とする。
【００１８】
請求項７に記載の遊技媒体貸出装置遠隔操作システムは、請求項１に記載の前記遊技媒体貸出装置が、装置の状態を示す情報を蓄積する蓄積手段を更に有し、前記制御は、該蓄積手段が蓄積している情報の読み出し、及び読み出した該情報の所定表示部への表示の制御を含むことを特徴とする。
【００１９】
請求項８に記載の遊技媒体貸出装置は、カード状記憶媒体が挿入又は排出されるカード挿入口と、投入された貨幣の価値に応じて有価価値情報をカード状記憶媒体に書込可能で且つカード状記憶媒体の有価価値情報を読取可能なリードライト部と、カード状記憶媒体を収納する収納部と、前記カード挿入口と前記収納部との間でカード状記憶媒体を搬送する搬送手段と、制御部と、遠隔操作端末装置から送信された信号を受信する受信部とを備え、前記制御部は、該受信部が受信した信号に応じた制御を実行すべくなしたことを特徴とする。
【００２０】
請求項９に記載の遊技媒体貸出装置は、請求項８に記載の前記遠隔操作端末装置から受信した信号に応じた前記制御に相当する制御を前記制御部に実行させる指示を入力するための入力部を更に備えたことを特徴とする。
【００２１】
請求項１０に記載の遊技媒体貸出装置は、請求項８又は９に記載の前記制御が、前記搬送手段によるカード状記憶媒体の搬送動作の制御を含むことを特徴とする。
【００２２】
請求項１１に記載の遊技媒体貸出装置は、請求項８又は９に記載の前記制御が、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする。
【００２３】
請求項１２に記載の遊技媒体貸出装置は、請求項１１に記載の前記制御が、カード状記憶媒体を前記収納部に補充する制御を含み、前記遊技媒体貸出装置の前記制御部は、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御すべくなしたことを特徴とする。
【００２４】
請求項１３に記載の遊技媒体貸出装置は、請求項１１に記載の前記制御が、カード状記憶媒体を装置外部へ排出する制御を含み、前記遊技媒体貸出装置の前記制御部は、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御すべくなしたことを特徴とする。
【００２５】
請求項１４に記載の遠隔操作端末装置は、カード状記憶媒体が挿入又は排出されるカード挿入口、投入された貨幣の価値に応じて有価価値情報をカード状記憶媒体に書込可能で且つカード状記憶媒体の有価価値情報を読取可能なリードライト部、カード状記憶媒体を収納する収納部、前記カード挿入口と前前記収納部との間でカード状記憶媒体を搬送する搬送手段、制御部及び受信部を有する遊技媒体貸出装置に対して、前記搬送手段によるカード状記憶媒体の搬送動作を制御させる指示を入力するための入力部と、入力部により入力された指示に応じた信号を前記遊技媒体貸出装置へ送信する送信部とを備えたことを特徴とする。
【００２６】
請求項１５に記載の遠隔操作端末装置は、カード状記憶媒体が挿入又は排出されるカード挿入口、投入された貨幣の価値に応じて有価価値情報をカード状記憶媒体に書込可能で且つカード状記憶媒体の有価価値情報を読取可能なリードライト部、カード状記憶媒体を収納する収納部、前記カード挿入口と前前記収納部との間でカード状記憶媒体を搬送する搬送手段、制御部及び受信部を有する遊技媒体貸出装置に対して、該遊技媒体貸出装置の状態を、カード状記憶媒体の利用が可能な通常運用状態から、カード状記憶媒体の利用を不可能にして遊技媒体貸出装置の保守を可能にする保守状態へ、又は保守状態から通常運用状態へ変更させる指示を入力するための入力部と、
入力部により入力された指示に応じた信号を前記遊技媒体貸出装置へ送信する送信部とを備えたことを特徴とする。
【００２７】
請求項１６に記載の遠隔操作端末装置は、請求項１５に記載の前記指示が、前記遊技媒体貸出装置の前記収納部にカード状記憶媒体を補充させる指示を含むことを特徴とする。
【００２８】
請求項１７に記載の遠隔操作端末装置は、請求項１５に記載の前記指示が、前記遊技媒体貸出装置の前記収納部に収納されているカード状記憶媒体を装置外部へ排出させる指示を含むことを特徴とする。
【００２９】
請求項１８に記載の遠隔操作端末装置は、請求項１５に記載の前記指示が、前記遊技媒体貸出装置の異常状態を示す情報の表示解除及び／又は異常状態の解除を含むことを特徴とする。
【００３０】
請求項１９に記載の遠隔操作端末装置は、請求項１５に記載の前記指示が、前記遊技媒体貸出装置に蓄積されている、該遊技媒体貸出装置の状態を示す情報の読み出し、及び読み出した該情報の所定表示部への表示の指示を含むことを特徴とする。
【００３１】
請求項２０に記載のコンピュータプログラムは、カード状記憶媒体が挿入又は排出されるカード挿入口と、投入された貨幣の価値に応じて有価価値情報をカード状記憶媒体に書込可能で且つカード状記憶媒体の有価価値情報を読取可能なリードライト部と、カード状記憶媒体を収納する収納部と、前記カード挿入口と前記収納部との間でカード状記憶媒体を搬送する搬送手段と、遠隔操作端末装置から送信された信号を受信する受信部とを備えた遊技媒体貸出装置をコンピュータに制御させるコンピュータプログラムにおいて、コンピュータを、前記受信部が受信した信号に応じた制御を実行する手段として機能させることを特徴とする。
【００３２】
請求項２１に記載のコンピュータプログラムは、請求項２０に記載の前記遊技媒体貸出装置が、前記遠隔操作端末装置から受信した信号に応じた前記制御に相当する制御を前記コンピュータに実行させる指示を入力するための入力部を更に備え、前記コンピュータを該入力部により入力された指示に応じた制御を実行する手段として機能させることを特徴とする。
【００３３】
請求項２２に記載のコンピュータプログラムは、請求項２０又は２１に記載の前記制御が、前記搬送手段によるカード状記憶媒体の搬送動作の制御を含むことを特徴とする。
【００３４】
請求項２３に記載のコンピュータプログラムは、請求項２０又は２１に記載の前記制御が、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする。
【００３５】
請求項２４に記載のコンピュータプログラムは、請求項２３に記載の前記制御が、カード状記憶媒体を前記収納部に補充する制御を含み、前記コンピュータを、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御する手段として機能させることを特徴とする。
【００３６】
請求項２５に記載のコンピュータプログラムは、請求項２３に記載の前記制御が、カード状記憶媒体を装置外部へ排出する制御を含み、前記コンピュータを、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御する手段として機能させることを特徴とする。
【００３７】
請求項２６に記載の記録媒体は、カード状記憶媒体が挿入又は排出されるカード挿入口と、投入された貨幣の価値に応じて有価価値情報をカード状記憶媒体に書込可能で且つカード状記憶媒体の有価価値情報を読取可能なリードライト部と、カード状記憶媒体を収納する収納部と、前記カード挿入口と前記収納部との間でカード状記憶媒体を搬送する搬送手段と、遠隔操作端末装置から送信された信号を受信する受信部とを備えた遊技媒体貸出装置をコンピュータに制御させるコンピュータプログラムが記録されており、コンピュータでの読み取りが可能な記録媒体において、コンピュータを、前記受信部が受信した信号に応じた制御を実行する手段として機能させるコンピュータプログラムを記録してあることを特徴とする。
【００３８】
請求項２７に記載の記録媒体は、請求項２６に記載の前記遊技媒体貸出装置が、前記遠隔操作端末装置から受信した信号に応じた前記制御に相当する制御を前記コンピュータに実行させる指示を入力するための入力部を更に備え、前記コンピュータを該入力部により入力された指示に応じた制御を実行する手段として機能させるコンピュータプログラムを記録してあることを特徴とする。
【００３９】
請求項２８に記載の記録媒体は、請求項２６又は２７に記載の前記制御が、前記搬送手段によるカード状記憶媒体の搬送動作の制御を含むことを特徴とする。
【００４０】
請求項２９に記載の記録媒体は、請求項２６又は２７に記載の前記制御が、前記遊技媒体貸出装置の状態を、カード状記憶媒体の利用が可能な通常運用状態から、カード状記憶媒体の利用を不可能にして前記遊技媒体貸出装置の保守を可能にする保守状態へ、又は保守状態から通常運用状態へ変更する制御を含むことを特徴とする。
【００４１】
請求項３０に記載の記録媒体は、請求項２９に記載の前記制御が、カード状記憶媒体を前記収納部に補充する制御を含み、前記コンピュータを、前記保守状態において、カード状記憶媒体を補充すべき信号を前記受信部が受信した場合、前記カード挿入口から挿入されたカード状記憶媒体を前記収納部へ搬送するように前記搬送手段の搬送動作を制御する手段として機能させるコンピュータプログラムを記録してあることを特徴とする。
【００４２】
請求項３１に記載の記録媒体は、請求項２９に記載の前記制御は、カード状記憶媒体を装置外部へ排出する制御を含み、前記コンピュータを、前記保守状態において、カード状記憶媒体を排出すべき信号を前記受信部が受信した場合、前記収納部に収納されている前記カード状記憶媒体を装置外部への排出が可能な位置まで搬送するように前記搬送手段の搬送動作を制御する手段として機能させるコンピュータプログラムを記録してあることを特徴とする。
【発明の効果】
【００４３】
従って、請求項１、請求項８、請求項１４、請求項２０又は請求項２６に記載の発明によると、遠隔操作端末装置の入力部により入力された指示に応じた信号がその送信部から送信され、この信号を遊技媒体貸出装置の受信部が受信すると、制御部は受信した信号に応じた制御を実行するので、係員は各装置まで出向いていろいろな箇所を操作しなくても、遠隔操作端末装置の入力部により指示を入力するという単純な操作で遊技媒体貸出装置を遠隔操作することができて作業が簡便になり、係員の作業負担が大幅に軽減される。
【００４４】
また請求項２、請求項１０、請求項２２又は請求項２８に記載の発明によると、遠隔操作端末装置の入力部により搬送手段の搬送動作制御の指示を入力するという単純な操作だけで、遊技媒体貸出装置の搬送手段によるカード状記憶媒体の搬送動作が制御されるので、カード挿入口と収納部との間でカード状記憶媒体が自動的に搬送され、係員の作業負担が大幅に軽減される。
【００４５】
また請求項３、請求項１１、請求項１５、請求項２３又は請求項２９の発明によると、遠隔操作端末装置の入力部により遊技媒体貸出装置の制御状態切替えの指示を入力するという単純な操作だけで、遊技媒体貸出装置の制御状態がカード状記憶媒体の利用が可能な通常運用状態からカード状記憶媒体の利用が不可能な保守状態へ、又は保守状態から通常運用状態へ遠隔操作で切替えられるので、状態切替えの作業が簡便になり、係員の作業負担が大幅に軽減される。
【００４６】
また請求項４、請求項１２、請求項１６、請求項２４又は請求項３０の発明によると、保守状態において、遠隔操作端末装置の入力部によりカード状記憶媒体補充の指示を入力するという単純な操作だけで、搬送手段の搬送動作を遠隔操作で制御してカード挿入口に挿入されたカード状記憶媒体を順次収納部へ搬送させられるので、係員は遊技機の扉を開けて遊技媒体貸出装置のロック機構を解錠したり、遊技媒体貸出装置の収納部の蓋を開けたりしてカード状記憶媒体を補充しなくてもよくなるとともに、カード状記憶媒体の補充作業が簡便になり、係員の作業負担が大幅に軽減される。
【００４７】
また請求項５、請求項１３、請求項１７、請求項２５又は請求項３１の発明によると、保守状態において、遠隔操作端末装置の入力部によりカード状記憶媒体回収の指示を入力するという単純な操作だけで、搬送手段の搬送動作を遠隔操作で制御してカード状記憶媒体を収納部からカード挿入口へ順次搬送させられるので、係員は遊技機の扉を開けて遊技媒体貸出装置のロック機構を解錠したり、遊技媒体貸出装置の収納部の蓋を開けたりしてカード状記憶媒体を回収しなくてもよくなるとともに、カード状記憶媒体の回収作業が簡便になり、係員の作業負担が大幅に軽減される。
【００４８】
また請求項６又は請求項１８の発明によると、遠隔操作端末装置の入力部により遊技媒体貸出装置の異常状態を示す情報の表示解除及び／又は異常状態解除の指示を入力するという単純な操作だけで、異常状態を示す情報の表示解除及び／又は異常状態解除を遠隔操作で直ちに実行できるので、異常状態の表示び／又は異常状態を早期に解除できるとともに、異常状態を示す情報の表示解除及び／又は異常状態解除の作業が簡便になり、係員の作業負担が大幅に軽減される。
【００４９】
また請求項７又は請求項１９の発明によると、遠隔操作端末装置の入力部により遊技媒体貸出装置の蓄積手段が蓄積している、遊技媒体貸出装置の状態を示す情報の読出し・表示の指示を入力するという単純な操作だけで、蓄積手段から遊技媒体貸出装置の位置情報、前回の取引金額等の情報が読出され、所定の表示部に表示され、係員は遊技媒体貸出装置の状態を離れた位置から確認できるので、確認作業が簡便になり、係員の作業負担が大幅に軽減される。
【００５０】
また請求項９、請求項２１又は請求項２７の発明によると、遠隔操作端末装置による入力だけでなく、遠隔操作端末装置からの遠隔操作と同様の操作を遊技媒体貸出装置に設けた入力部によって行うことができるので、例えば故障等で遠隔操作端末装置が使用不能になった場合の補助入力手段として利用できる。
【発明を実施するための最良の形態】
【００５１】
以下、本発明の実施例１乃至３を図面に基づいて説明する。
【実施例１】
【００５２】
図１は、本発明に係る遊技媒体貸出装置及び遠隔操作端末装置を備えた遊技媒体貸出装置遠隔操作システムの構成を示すブロック図である。
【００５３】
本発明に係る遊技媒体貸出装置は、例えば、パチンコ機及びスロットマシン等の遊技機を備えた遊技店に設置されている装置であり、パチンコ玉又はメダル等の遊技媒体を貸し出すための装置である。また、この遊技媒体貸出装置にて処理されるカード状記録媒体は、一般的にはＩＣカード（以下、カードという）が使用されるが、これに限定されるものではない。そして、このカードは、カードに関する情報を記録するための記録領域を有している。本発明に係る遊技媒体貸出装置はカードの利用と併せて貨幣の利用も可能であり、カードの情報を読み書きするリードライト部に保持しているカードに、入金額に応じた有価価値を書き込んで遊技媒体の貸出を可能にする機能を備えている。なお、本実施の形態では、遊技店が例えば一定の特典を会員に与える会員制を採用してもよく、その場合、会員である遊技客用のカードを会員カードといい、また非会員である遊技客用のカードを一般カードという。
【００５４】
図１において、１…は、遊技機２…間に設置された遊技媒体貸出装置である。また、Ｃはカード、３はカードＣを発行する発行装置、４はカードＣのカードに関する情報等を管理する管理装置、４００は遊技媒体貸出装置１の遠隔操作が可能な携帯端末装置である。カードＣの記録領域に記録される情報には、カードＣを識別するためのカード識別子、即ちカードＩＤ、カードＣを発行した遊技店を識別するための発行店識別子、カード発行年月日、必要に応じて、カードＣが会員カードか一般カードかを示す情報、即ちカードＣの種別の情報、及び有価価値情報等（以下、カード情報という）が含まれる。カードＣに書き込まれている有価価値は貨幣の入金によって買い足しされ、また遊技媒体の貸出によって消費され、有価価値が「０」となった一般カードは遊技媒体貸出装置１の収納部１９（後述する）に取り込まれて次回入金時に再利用される。有価価値が残っているカードＣは遊技客に返却されるが、例えば、会員システムを採った場合は、会員カードは有価価値が「０」となっても遊技客に返却されるようにしてもよい。
【００５５】
遊技媒体貸出装置１は、後述するように、予め遊技媒体貸出装置１の内部に収納されたカードＣ、又は発行装置３によって発行された後で遊技客により挿入されたカードＣの有価価値情報等を読込んで、その情報を光通信等の通信手段にて管理装置４に送信する。
【００５６】
遊技媒体貸出装置１からカード情報を受信した管理装置４は、カードＣを使用することが可能であるか等のカードＣの正当性につき判定を行う。そして判定結果に関する情報を光通信により遊技媒体貸出装置１へ送信する。
【００５７】
そして、カードＣの正当性が認められた場合、遊技媒体貸出装置１は、遊技機２に設けられた遊技媒体の貸出を指示する貸出ボタン（図示せず）が遊技客によって押下されると、それに応じた遊技媒体の貸出を遊技機２に指示し、これに応じ遊技機２は遊技媒体の貸出を行う。
【００５８】
また遊技媒体貸出装置１は、係員による携帯端末装置４００を利用した遠隔操作に応じて、後述するカードＣの搬送手段３１の搬送動作、装置の制御状態（通常運用状態／保守状態）の切替え、カードＣの補充・回収（排出）、エラー情報の表示解除、ハードリセット等を制御する。
【００５９】
図２は本発明に係る遊技媒体貸出装置１及び携帯端末装置４００の斜視図である。図２において、５は縦長の筐体からなる装置本体で、装置本体５の前面に操作面６が配置されている。７は操作面６に設けられた状態表示ランプであり、状態表示ランプ７は、例えばフルカラーＬＥＤを使用して遊技媒体貸出装置１の状態をランプの色、点灯態様（点灯・点滅・消灯等）によって表示する。
【００６０】
ここで遊技媒体貸出装置１の状態とは、例えば通常の遊技状態（通常運用状態という）、即ちカードＣの利用（入金／消費）が可能な状態であるのか、又はカードＣの補充・回収等の保守作業を行う状態（保守状態という）、即ちカードの利用ができない状態にあるのか、収納部１９の予備のカードＣが所定枚数以下になったか（補充を促す）、所定枚数以上になったか（回収を促す）、カード切れ、カード満杯、カード詰まり等のエラー発生中か、カード挿入口１２に会員カード挿入中か、残高有りの一般カード挿入中か、会員特典として提供されるミニゲーム等のイベントが発生中か（会員カード挿入時）等を意味する。
【００６１】
８は貨幣受付口であり、貨幣受付口８に投入された貨幣は、貨幣受付口８に連続する処理ユニット９で貨幣識別等の処理が行われる。１０は貨幣受付口８の下方に設けた入金可ランプであり、使用中のカードＣに対して貨幣による入金が可能な場合は点灯し、不可能な場合は消灯する。なお、本例では入金可能な金銭が貨幣の場合について説明したが、入金可能な金銭は貨幣に限るものではなく、紙幣であってもよい。
【００６２】
１１は各種情報、例えば遊技客が貸出金額を選択することのできる金額設定ボタンが設けられ、また選択された貸出金額、１００円未満の端数金額、メンテナンス情報（後述する収納枚数の表示）等を表示する表示部である。１２はカード挿入口で、開閉自在なシャッタ１３が設けられている。１６はカード挿入口１２の後方に設けたカード処理部である。１９はカード処理部１６の後方に設けたカードＣの収納部である。
【００６３】
前記の携帯端末装置４００の操作面（上面）には、遊技媒体貸出装置１の制御状態（通常運用状態か保守状態か）の表示、及び保守状態においてカード補充を実行するカード補充モードか、保守状態においてカード回収を実行するカード回収モードかの表示等を行うＬＣＤ表示部４０１と、遊技媒体貸出装置１の制御状態を通常運用状態から保守状態に切替える指示を入力する手段、及び保守状態から通常運用状態に切替える指示を入力する手段としてのモード切替ボタン４０２と、遊技媒体貸出装置１をカード補充モードとする指示を入力する手段としてのカード補充ボタン４０３と、遊技媒体貸出装置１をカード回収モードとするための指示を入力する手段としてのカード回収ボタン４０４とを設けている。
【００６４】
また、携帯端末装置４００の前面には、保守状態への切替え指示、通常運用状態への切替え指示（本例では、保守状態の解除指示によって保守状態から通常運用状態に切替えるものとする）、カード補充モード指示又はカード回収モード指示に応じた赤外線信号を後述する制御部４３に送信する送信部４０５を設けている。
一方、遊技媒体貸出装置１の操作面６に設けられたカード挿入口１２下側には、携帯端末装置４００の送信部４０５から送信された赤外線信号を受信する受信部３０３を設けている。
【００６５】
図３は本発明に係る遊技媒体貸出装置１の模式的断面図及び模式的底面図である。図３において、１７はリードライト部（Ｒ／Ｗ部）を示し、リードライト部１７の略中央には、リーダライタ１８が設けられており、リーダライタ１８は、カードＣとの相互間で通信を行い、有価価値情報等の読込み又は書込みを行う。１９はリードライト部１７の後方に設けたカードＣの収納部である。
【００６６】
また第１搬送手段３１ＡはカードＣを挟持するローラ３１０、ローラ３１０を回転させるモータ３１１等からなり、カードＣをリードライト部１７からカード挿入口１２とリードライト部１７間で搬送する。第２搬送手段３１ＢはカードＣの両端を把持するツメ状部材３１３、３１３を有するピッカー２０、ピッカー２０を移動させるためのモータ３１２、ピッカー２０のツメ状部材３１３、３１３を出し入れするためのソレノイド（図示せず）等からなり、ピッカー２０に把持させたカードＣをリードライト部１７と収納部１９間で搬送する。
【００６７】
図３において、２１はカード挿入口１２とリードライト部１７間に配され、カード挿入口１２にカードＣが挿入されたか否かを検知する光電センサ、２２はシャッタ１３が閉じられているか否かを検知する光電センサ、２３はリードライト部１７の定位置にカードＣが滞留するか否かを検知する光電センサ、２４はカードＣが収納部１９に入ったか否かを検知する光電センサである。また２５、２６はピッカー２０の位置を検知するための光電センサであり、２５はピッカー２０が収納部１９からリードライト部１７方向へ移動したことを検知し、また２６はピッカー２０がリードライト部１７から収納部１９方向へ移動したことをを検知するための光電センサであり、２７は収納部１９にカードＣが満杯になったことを検知する光電センサである。
【００６８】
収納部１９内に収納されたカードＣをリードライト部１７に搬送する場合は、第２搬送手段３１Ｂにより、ピッカー２０に把持させたカードＣを収納部１９からリードライト部１７まで搬送する。また、カードＣをリードライト部１７から装置外へ排出する場合は、ピッカー２０をカードＣから離して第１搬送手段３１Ａに渡し、第１搬送手段３１Ａによってカード挿入口１２からの取り出しが可能な位置までカードＣを搬送する。
【００６９】
また、装置外部からカードＣが投入された場合は、投入されたカードＣを第１搬送手段３１Ａのローラ３１０等を逆転駆動させる等して、リードライト部１７まで搬送する。このときピッカー２０に把持されたカードＣがリードライト部１７に滞留している場合、このカードＣはピッカー２０に把持された状態で事前に収納部１９へ後退する。
【００７０】
一方、リードライト部１７に滞留しているカードＣを収納部１９に収納する場合は、ピッカー２０で把持された状態でリードライト部１７に滞留しているときは、そもまま第２搬送手段３１ＢによりカードＣを収納部１９へ搬送する。また、カードＣが前記ローラ３１０でリードライト部１７に支持されて滞留しているときは、ピッカー２０は収納部１９に位置しているので、ピッカー２０を一旦リードライト部１７まで移動させて、リードライト部１７に滞留しているカードＣをピッカー２０のツメ状部材３１３，３１３で把持させて、収納部１９まで搬送する。
【００７１】
図４は図２の遊技媒体貸出装置１の電気的構成を示すブロック図である。図４において、４３は光電センサ２１〜２７の検知信号によりカードＣの収納状態や搬送位置等を確認し、カードＣの搬送動作等を制御するための制御部である。制御部４３は、プログラムが格納されるＲＯＭ４５、ＲＯＭ４５からプログラムを読み出して実行するＣＰＵ４４、及びプログラムの実行に必要な情報、カードＣの有価価値情報等を記憶するＲＡＭ４６等からなる。また、制御部４３にはバス４７を介して、状態表示ランプ７、入金可ランプ１０、表示部１１、処理ユニット９、各光電センサ２１〜２７、リーダライタ１８等の入出力部が接続され、且つ各遊技媒体貸出機１…及び管理装置４との間で情報を送受信するための送受信部４８、携帯端末装置４００からの信号を受信する受信部３０３が接続されている。
【００７２】
ＲＡＭ４６には、収納部１９に収納されているカードＣの枚数を計数するためのカウンタが設けられており、ピッカー２０が収納部１９方面からリードライト部１７方面へ移動した時にはカウンタの値は１だけ減算され、ピッカー２０がリードライト部１７方面から収納部１９方面へ移動した時は１だけ加算される。この枚数が、例えば、ゼロ枚になる手前の所定枚数又は収納部１９が満杯になる手前の所定枚数に達した場合、収納部１９へのカードＣの補充又は排出（回収）を係員に促す表示が状態表示ランプ７に表示される。また、収納部１９へのカードＣの補充又は排出（回収）を係員に促すメッセージを表示部１１に表示すようにしてもよい。
【００７３】
図５は図２の携帯端末装置４００の電気的構成を示すブロック図である。図５において、４１０は、モード切替ボタン４０２、カード補充ボタン４０３又はカード回収ボタン４０４の押下に応じた指示信号を生成して送信部４０５より送信する通信制御及びＬＣＤ表示部４０１における表示等を制御するための制御部である。制御部４１０は、プログラムが格納されるＲＯＭ４１２、ＲＯＭ４１２からプログラムを読み出して実行するＣＰＵ４１１、プログラムの実行に必要な情報等を記憶するＲＡＭ４１３等からなる。また、制御部４１０にはバス４１４を介して、モード切替ボタン４０２、カード補充ボタン４０３、カード回収ボタン４０４及び送信部４０５が接続されている。
【００７４】
次に、通常運用状態における制御部４３の処理手順の一例を、図６及び図７のフローチャート、並びに図８に示すカードＣとピッカー２０の位置関係の模式図に基づいて説明する。なお、図８において、実線及び一点鎖線はカードＣ又はピッカー２０が存在する場合を示し、点線はこれらが存在しない場合を示すものとし、便宜上、ピッカー２０の形状を矩形で示した。また、本制御例においては、通常運用状態下では、遊技客の貸出要求に素早く対応できるように、収納部１９に優先してリードライト部１７にカードＣを滞留させておく。
【００７５】
先ず、遊技媒体貸出装置１の電源が投入されると、制御部４３は、記憶している各種のテーブルをクリアする等して初期設定を行う。初期状態において、リードライト部１７にはカードＣを１枚滞留させており、収納部１９には、適当枚数のカードＣを収納し、収納されたカードＣのうち、搬送面に臨む１枚のカードＣはピッカー２０で把持されている（図３および図８（ａ））。
【００７６】
次に、リードライト部１７にカードＣが滞留しているか否かを、光電センサ２３により検知する（ＳＴ１０１）。リードライト部１７にカードＣが滞留している場合は（ＳＴ１０１のＹＥＳ）、収納部１９にカードが存在するか否かを、光電センサ２４により検知する（ＳＴ１０２）。収納部１９にカードＣが収納されていない場合（ＳＴ１０２のＮＯ）は、カードＣが収納されていない旨のメンテナンス情報を状態表示ランプ７に表示し、カードの補充を促す（ＳＴ１０３）。収納部１９にカードＣが収納されている場合（ＳＴ１０２のＹＥＳ）は、収納部１９が満杯であるか否かを、光電センサ２７により検知する（ＳＴ１０２）。収納部１９が満杯でない場合（ＳＴ１０４のＮＯ）は、遊技客のカード投入（ＳＴ２０１）か貨幣投入（ＳＴ２１８）を待つ。
【００７７】
収納部１９にカードＣが満杯である場合（ＳＴ１０４のＹＥＳ）には、外部からのカード投入を受け付けることができないので、カード挿入口１２のシャッタ１３を閉じてカード挿入を禁止するとともに、収納部１９が満杯でこれ以上カードＣが収納できない旨の表示を状態表示ランプ７に表示し、カードの回収（排出）を促す（ＳＴ１０５）。遊技機に設けられたカード排出ボタン（図示せず）が押下された場合（ＳＴ１０６のＹＥＳ）は、リードライト部１７に滞留しているカードＣが排出され（ＳＴ１０７）、収納部１９からリードライト部１７にカードＣがピッカー２０で搬送され、収納部１９の満杯状態が解消される。この状態で、外部からカードＣを投入した場合は、カード投入を光電センサ２２等で検知し、リードライト部１７に滞留しているカードＣ（ピッカー２０で把持されている）を、ピッカー２０で収納部１９に搬送して、リードライト部１７を一旦空として、投入されたカードＣの受け入れスペースを確保する。このように、カード排出（ＳＴ１０７）により、カード投入が可能となるので、遊技客のカード投入（ＳＴ２０１）か貨幣投入（ＳＴ２１８）を待つ。
【００７８】
一方、リードライト部１７にカードＣが滞留していない場合（ＳＴ１０１のＮＯ）は、収納部１９にカードが存在するか否かを光電センサ２４により検知する（ＳＴ１０８）。本制御例においては、収納部１９に優先して、リードライト部１７にカードＣを滞留させているため、リードライト部１７にカードＣが滞留せずに、収納部１９にカードＣが収納されている場合（ＳＴ１０８のＮＯ）は、搬送手段３１Ｂに異常がある場合なので、エラーの発生を状態表示ランプ７に表示して処理を終了する。一方、収納部１９にカードＣがない場合は、カードＣが収納されていない旨の表示を状態表示ランプ７に表示し、カードの補充を促す（ＳＴ１１１）。この状態では、リードライト部１７にも収納部１９にもカードＣがない状態なので、貨幣の投入は受け付けず、カードの投入（ＳＴ１１１）のみ受け付ける。カードＣが投入されない場合（ＳＴ１１１のＮＯ）は、ＳＴ１０１に戻る。カードＣが投入された場合（ＳＴ１１１のＹＥＳ）は、投入されたカードＣをリードライト部１７に搬送し（ＳＴ１１２）、後述するＳＴ２０４に進む。なお、前記した各表示は表示部１１にメッセージにより表示してもよい。
【００７９】
遊技客が、カード挿入口１２からカードＣを投入した場合（ＳＴ２０１のＹＥＳ）は、カードＣの投入を光電センサ２２，２１が検知し、リードライト部１７にピッカー２０で把持された状態で滞留しているカードＣを、ピッカー２０の移動により、収納部１９に搬送する（ＳＹ２０２）（図８（ｄ）→図８（ｅ））。そして、投入されたカードＣを搬送手段３１Ａにより、リードライト部１７に取り込む（ＳＴ２０３）。そして、貨幣が投入された場合（ＳＴ２０４のＹＥＳ）は、リーダライタ１８により有価価値情報を取り込んだカードＣに書き込んだ（ＳＴ２０５）後、有価価値情報等のカード情報を読み込み（ＳＴ２０６）、この状態で遊技客が遊技機２に設けられた貸出ボタン（図示せず）を押下するか、同じく隣接する遊技機２に設けられたカード排出ボタン（図示せず）を押下するのを待つ（ＳＴ２０７、２１５）。貸出ボタンが押下されると（ＳＴ２０７のＹＥＳ）、所定の貸出処理が行われる（ＳＴ２０８）。貸出処理が終了すると、カードＣに残高があるか否かを判定し（ＳＴ２０９）、残高がない場合であって（ＳＴ２０９のＮＯ）、貨幣投入がされないとき（ＳＴ２１０のＮＯ）は、リードライト部１７にカードＣを、そのまま滞留させて再発行に備えて、ＳＴ１０１に戻る。
【００８０】
一方、遊技客により、追加の貨幣が投入された場合（ＳＴ２１０のＹＥＳ）は、有価価値情報をカードＣに書き込み（ＳＴ２１２）、ＳＴ２０６に戻り、同様の処理を行う。カードＣに残高がある場合（ＳＴ２０９のＹＥＳ）であって、貨幣投入があったとき（ＳＴ２１３のＹＥＳ）は、有価価値情報をカードＣに書き込み（ＳＴ２１４）、ＳＴ２０６に戻り、同様の処理を行う。追加の貨幣投入がない場合（ＳＴ２０１３のＮＯ）は、カード排出ボタンが押下されたか否かを判断し、カード排出ボタンが押下されない場合（ＳＴ２１５のＮＯ）は、貸出ボタンが押下されるのを待つ（ＳＴ２０７に戻る）。カード排出ボタンが押下された場合（ＳＴ２１５のＹＥＳ）は、リードライト部１７に滞留しているカードＣを、第１搬送手段３１Ａを駆動して排出する（ＳＴ２１６）（図８（ｂ）→図８（ｃ）：残高があるカードＣをハッチングで示す）。そして、第２搬送手段３１Ｂにより、収納部１９からリードライト部１７にカードＣを搬送して（ＳＴ２１７）（図８（ｆ）→図８（ｇ））、リードライト部１７にカードＣが滞留している状態にして、再発行に備えて後、ＳＴ１０１に戻る。
【００８１】
遊技客が、カードＣの投入をせずに（ＳＴ２０１のＮＯ）、貨幣受付口８から貨幣を投入した場合（ＳＴ２１８のＹＥＳ）は、リードライト部１７に滞留しているカードＣに、有価価値情報を書き込んだ（ＳＴ２１９）後、前記したＳＴ２０６に続く。
【００８２】
次に、保守状態における制御部４３の処理手順の一例を、図９のフローチャートに基づいて説明する。保守状態への切替え指示信号であった場合、制御部４３は遊技媒体貸出装置１を通常運用状態から保守状態に切替える。保守状態下では、操作面６に設けられた各種の入力ボタンおよび遊技機２に設けられた貸出ボタン（図示せず）、カード排出ボタン（図示せず）等の入力指示を無効とする。
【００８３】
そして、遊技媒体貸出装置１が保守状態（メンテナンス状態）に切り替わると、状態表示ランプ７を例えば緑色と黄色の点滅とさせて、遊技媒体貸出装置１が保守状態に切り替わった旨を表示する（ＳＴ５００）と共に、表示部１１にその時点で収納部１９内に収納されているカードＣの枚数を表示する（ＳＴ５０１）。保守状態の間、受信部３０３が遠隔操作端末装置４００から、カード補充の指示信号、カード回収の指示信号、又は保守状態解除の指示信号を受信するか否かを監視する（ＳＴ５０２、ＳＴ５０９、ＳＴ５１６）。この間、保守状態解除の指示信号を受信した場合は（ＳＴ５１６のＹＥＳ）、保守状態の表示を解除して処理を終了する。
【００８４】
受信部３０３が遠隔操作端末装置４００から受信した指示信号が収納部１９へのカードＣの補充指示信号であった場合（ＳＴ５０２のＹＥＳ）は、その時点で収納部１９内に収納されているカードＣが後述する所定の適正値より少ないか否かを判断し、収納されているカードＣが適正値か適正値より多い場合（ＳＴ５０３のＮＯ）は、保守状態の旨の表示を解除し（ＳＴ５１７）、処理を終えて、通常運用状態に復帰する。収納されているカードＣが適正値より少ない場合（ＳＴ５０３のＹＥＳ）は、カード挿入口１２にカードＣが挿入されると（ＳＴ５０４のＹＥＳ）、搬送手段３１Ａ、３１Ｂを駆動して、挿入されたカードＣをカード挿入口１２から収納部１９まで搬送する（ＳＴ５０５）。このとき、挿入されたカードＣのリードライト部１７での読取り及び書込を行わないよう設定しておき、速やかに収納部１９まで搬送できるようにする。
【００８５】
なお、上述の例では、補充する時のカードＣの搬送速度を重視して、リードライト部１７での読取り及び書込を行わないよう設定したが、搬送速度を多少犠牲にして、補充するカードＣの最低限の情報（例えば会員／一般カード、残高有り／無し等）だけ読取るようにしてもよい。
【００８６】
そして、収納部１９への収納が完了すると、表示部１１に表示したカードＣの枚数（収納部１９の残りの収納枚数）を「ＳＴ５０１で表示した枚数プラス１」に変更する（ＳＴ５０６）。収納部１９の収納枚数が適正値となった場合（ＳＴ５０７のＹＥＳ）は、保守状態の旨の表示を解除し（ＳＴ５１７）、処理を終えて、通常運用状態に復帰する。一方、適正値に満たない場合（ＳＴ５０７のＮＯ）は、受信部３０３が遠隔操作端末装置４００からの解除指示信号を受信したか否かを監視し、受信していない場合（ＳＴ５０８のＮＯ）は、ＳＴ５０４に戻り、収納枚数が適正値となる（ＳＴ５０７のＹＥＳ）か、又は遊技場係員が遠隔操作端末装置４００の解除ボタン（モード切替ボタン４０２）を押下して受信部３０３がこの解除指示信号を受信し（ＳＴ５０８のＹＥＳ）、保守状態が解除されるまで、順次収納部１９にカードＣを搬送する。
【００８７】
次に、受信部３０３が遠隔操作端末装置４００から受信した指示信号が収納部１９からのカードＣの回収指示信号であった場合（ＳＴ５０９のＹＥＳ）は、その時点で収納部１９内に収納されているカードＣが後述する所定の適正値より多いか否かを判断し、収納されているカードＣが適正値か適正値より少ない場合（ＳＴ５１０のＮＯ）は、保守状態の旨の表示を解除し（ＳＴ５１７）、処理を終えて、通常運用状態に復帰する。収納されているカードＣが適正値より多い場合（ＳＴ５１０でＹＥＳ）は、搬送手段３１Ｂ、３１Ａを駆動して、収納されているカードＣを収納部１９からカード挿入口１２まで搬送する。このとき、収納部１９から搬送されたカードＣのリードライト部１７での読取り及び書込は行わないよう設定しておき、速やかにカード挿入口１２まで搬送できるようにする。
【００８８】
そしてカード挿入口１２まで搬送されたカードＣが遊技場係員によって抜き取られると、表示部１１に表示したカードＣの枚数（収納部１９の残りの収納枚数）を「ＳＴ５０１で表示した枚数マイナス１」に変更する（ＳＴ５１３）。収納部１９の収納枚数が適正値となった場合（ＳＴ５１４のＹＥＳ）は、保守状態の旨の表示を解除し（ＳＴ５１７）、処理を終えて、通常運用状態に復帰する。一方、適正値に満たない場合（ＳＴ５１４のＮＯ）は、受信部３０３が遠隔操作端末装置４００からの解除指示信号を受信したか否かを監視し、受信していない場合（ＳＴ５１５のＮＯ）はＳＴ５１１に戻り、収納枚数が適正値となる（ＳＴ５１４のＹＥＳ）か、遊技場係員が遠隔操作端末装置４００の解除ボタン（モード切替ボタン４０２）を押下して受信部３０３がこの解除指示信号を受信し（ＳＴ５１５でＹＥＳ）、保守状態が解除されるまで、収納部１９からカード挿入口１２へカードＣを順次搬送する（ＳＴ５１１）。
【００８９】
前述のように、収納部１９に収納カードが満杯の状態では、有価価値がゼロとなった使用済みのカードＣを収納部１９に回収する余裕がなく、一方収納部１９に収納カードが無い状態では遊技客にカードＣを供給できず、いずれの場合であっても遊技に支障が生じる。そこで、収納部１９にある程度の枚数の使用済みのカードＣを回収できる余裕を持たせると共に、ある程度の枚数の予備のカードＣも収納しておく必要が生じる。そこで、カードＣを収納部１９に補充する場合でも、収納部１９が満杯になるまで補充するのではなく、ある程度の枚数を回収できる余裕を残して補充するよう必要があり、また回収する場合においても、ある程度供給できる枚数を残して回収する必要が生じる。そこで、本例では、満杯より少ない所定の枚数を補充の適正値として、またゼロ枚より多い所定の枚数を回収の適正値として設定しておき、適正値の枚数までは、カードＣを順次補充又は回収することとして妥当性を図っている。なお、この適正値は予め初期値として設定してもよく、また、事後的に変更可能としてもよい。また、カード補充の場合とカード回収の場合とで、適正値を同一にしても変えてもよい。例えば、収納可能枚数が１０枚の場合に、カード回収及び補正の適正値を同一の「５」としても、またカード回収の適正値を「５」とし、カード補充の適正値を「４」としてもよい。
【００９０】
なお、上述のカード回収の場合は、営業終了後にカードの総枚数の確認又はカードの傷痕状態のチェック等のため、収納部１９に収納される全てのカードの回収を可能とする必要が生じるため、適正値を「０」とする手段を別途設けても良い。また、ＳＴ５１５で収納枚数が適正値となった場合でも、強制的に収納カードを搬送する手段を設けてもよい。例えば、ＳＴ５１４で収納枚数が適正値となった場合でも、カード回収ボタン４０４が押下され続けている限り、処理終了に優先して、収納カードを搬送するようにしてもよい。また、特に適正値を設けなくともよい。
【００９１】
上述の実施例では、カードＣを補充／回収する場合は遊技媒体貸出装置１の制御状態を通常運用状態から保守状態に切替える構成について説明したが、例えば営業終了後、営業開始前等の営業時間外であれば、保守状態に切替えなくても、入金、消費といったプリペイド機能の利用はない。従って、保守状態に切替えなくても携帯端末装置４００から搬送手段３１を遠隔操作してカードＣの補充／回収を行える構成にしておけば操作性が向上する。このとき、遊技媒体貸出装置１の操作面６に設けられた入力ボタンの入力指示は有効のままでもよい。また営業中でも、例えば係員が取り残しのカードを排出する場合等に保守状態へ変更せずに搬送手段３１を制御してカードＣを移動させることができれば排出作業を迅速に行える。なお、カードＣの補充時には、上述の実施例と同様、リードライト部１７でカードＣの情報の読取り及び書込を行わない設定ができるようにしても、また最低限の情報（例えば会員／一般カード、残高有り／無し等）だけ読取る設定ができるようにしても、更にいずれかを選択できるようにしてもよい。
【実施例２】
【００９２】
図１０は本発明に係る他の携帯端末装置４００の斜視図である。なお、図２の携帯端末装置４００と同一部分には同一符合を付してその説明を省略する。遊技媒体貸出装置１では通常運用状態においてエラーが発生したり、使用不能となったにも関わらず保持されているカードＣを強制的に排出させる場合等では、一般的にはハードリセットを行うが、その方法は遊技機２の裏側に配置された電源部において電源遮断及び再投入の操作を必要とする。本例では、遊技媒体貸出装置１のハードリセットを遠隔操作できるリセットボタン４０６を携帯端末装置４００に設けることで、係員の作業負担を軽減することができる。
【００９３】
また通常運用状態においてこのようなハードリセットを行った場合、リセット後には遊技媒体貸出装置１の位置情報、前回の取引金額等の取引履歴情報をＲＡＭ４６から読出して、例えば遊技機２の表示部（図示せず）、遊技媒体貸出装置１の表示部１１といった所定の表示部に表示して確認する必要がある。本例では、このような取引履歴情報を所定の表示部に表示させる指示を入力するための履歴表示ボタン４０７を携帯端末装置４００に設けている。
【００９４】
図１１は図１０の携帯端末装置４００の電気的構成を示すブロック図である。なお、図５と同一部分には同一符合を付してその説明を省略する。図１１において、４１０は、モード切替ボタン４０２、カード補充ボタン４０３、カード回収ボタン４０４、リセットボタン４０６又は履歴表示ボタン４０７の押下に応じた指示信号を生成して送信部４０５より送信する通信制御及びＬＣＤ表示部４０１における表示等を制御するための制御部である。制御部４１０は、プログラムが格納されるＲＯＭ４１２、ＲＯＭ４１２からプログラムを読み出して実行するＣＰＵ４１１、プログラムの実行に必要な情報等を記憶するＲＡＭ４１３等からなる。また、制御部４１０にはバス４１４を介して、モード切替ボタン４０２、カード補充ボタン４０３、カード回収ボタン４０４、リセットボタン４０６、履歴表示ボタン４０７及び送信部４０５が接続されている。
【実施例３】
【００９５】
図１２は本発明に係る他の遊技媒体貸出装置の斜視図、図１３はその電気的構成を示すブロック図である。なお、図２及び図４と同一部分には同一符合を付してその説明を省略する。
【００９６】
本例では、前述の携帯端末装置４００に設けた遠隔操作用の各種ボタンに相当するボタンを操作面６に設けた。３０１はカード補充ボタン、３０２はカード回収ボタンである。３０４はモード切替ボタンであり、モード切替ボタン３０４を押下する都度、遊技媒体貸出装置１は通常運用状態から保守状態に切り替わり、また保守状態を解除して通常運用状態に戻る。また、通常運用状態においてエラーが発生したり、使用不能となったにも関わらず保持されているカードＣを強制的に排出させる場合等に遊技媒体貸出装置１のハードリセットを行うためのリセットボタン３０５と、リセット後に遊技媒体貸出装置１の位置情報、前回の取引金額等の取引履歴情報をＲＡＭ４６から読出して、例えば遊技機２の表示部（図示せず）、遊技媒体貸出装置１の表示部１１といった所定の表示部に表示させる指示を入力するための履歴表示ボタン３０６等を操作面６に設け、携帯端末装置４００による遠隔操作に加えて、操作面６でも同等の操作ができるようにした。
【００９７】
図１３において、４３は制御部であり、モード切替ボタン３０４からの指示信号により、遊技媒体貸出装置１の保守状態又は遊技状態の切替え制御並びに各光電センサ２１〜２７からの検知信号、及びカード補充ボタン３０１及びカード回収ボタン３０２からの指示信号によりカードＣの収納状態や搬送位置等を確認し、カードＣの搬送動作及びリーダライタ１８の作動等制御を行う。制御部４３は、プログラムを格納するＲＯＭ４５、ＲＯＭ４５からプログラムを読出して実行するＣＰＵ４４、及びプログラムの実行に必要な情報等を記憶するＲＡＭ４６等からなる。また、制御部４３にはバス４７を介して状態表示ランプ７、入金可ランプ１０、表示部１１、処理ユニット９、各光電センサ２１〜２７、リーダライタ１８等の入出力部、管理装置４等との間で情報を送受信するための送受信部４８、カード補充ボタン３０１、カード回収ボタン３０２、モード切替ボタン３０４、リセットボタン３０５、及び履歴表示ボタン３０６が接続されている。
【００９８】
なお、収納部１９へカードＣを補充する場合及び収納部１９から装置外部へカードを排出（回収）する場合の制御部４３の制御動作は、指示の入力が携帯端末装置４００のボタンにより指示するか、遊技媒体貸出装置１の操作面６に設けたボタンにより指示するかが異なるだけであり、他の制御動作は図９のフローチャートと同様であるので説明を省略する。
【００９９】
さらに、遊技機２の表枠、ガラス枠等の解錠、遊技機２に封入された打玉の抜取り・補給、特典を付与する遊技機２の抽選、遊技機２の大当たり図柄等を遠隔操作する機能を前述のような携帯端末装置４００に集約すれば、遊技媒体貸出装置１だけでなく遊技機２の管理も１台の携帯端末装置４００に一元化され、係員の作業負担が大幅に軽減される。
【０１００】
なお、本実施の形態では、収納部１９をリードライト部１７の後方に設けたが、リードライト部１７の下方又は／及び上方に設けても構わない。
【０１０１】
さらに、本発明に係る遊技媒体貸出装置はＩＣカードだけではなく、磁気カードにも適用可能である。
【図面の簡単な説明】
【０１０２】
【図１】本発明に係る遊技媒体貸出装置及び携帯端末装置を備えた遊技媒体貸出装置遠隔操作システムの構成を示すブロック図である。
【図２】本発明に係る遊技媒体貸出装置及び携帯端末装置の一実施例の斜視図である。
【図３】本発明に係る遊技媒体貸出装置の模式的断面図及び模式的底面図である。
【図４】図２の遊技媒体貸出装置の電気的構成を示すブロック図である。
【図５】図２の携帯端末装置の電気的構成を示すブロック図である。
【図６】通常運用状態における本発明に係る遊技媒体貸出装置の制御部の処理手順を示すフローチャートである。
【図７】通常運用状態における本発明に係る遊技媒体貸出装置の制御部の処理手順を示すフローチャートである。
【図８】カード及びピッカーの位置関係を示す模式図である。
【図９】保守状態における本発明に係る遊技媒体貸出装置の制御部の処理手順を示すフローチャートである。
【図１０】本発明に係る他の携帯端末装置の斜視図である。
【図１１】図１０の携帯端末装置の電気的構成を示すブロック図である。
【図１２】本発明に係る他の遊技媒体貸出装置の斜視図である。
【図１３】図１２の遊技媒体貸出装置の電気的構成を示すブロック図である。
【符号の説明】
【０１０３】
１      遊技媒体貸出装置
１７    リードライト部
１９    収納部
２０    ピッカー
３１    搬送手段
４３    制御部
３０３  受信部
４００  携帯端末装置
４０２  モード切替ボタン
４０３  カード補充ボタン
４０４  カード回収ボタン
４０５  送信部
４１０  制御部
Ｃ      カード
【図１】
2005058389.tif 000003
【図２】
2005058389.tif 000004
【図３】
2005058389.tif 000005
【図４】
2005058389.tif 000006
【図５】
2005058389.tif 000007
【図６】
2005058389.tif 000008
【図７】
2005058389.tif 000009
【図８】
2005058389.tif 000010
【図９】
2005058389.tif 000011
【図１０】
2005058389.tif 000012
【図１１】
2005058389.tif 000013
【図１２】
2005058389.tif 000014
【図１３】
2005058389.tif 000015
【手続補正書】
【提出日】平成15年9月9日(2003.9.9)
【手続補正１】
【補正対象書類名】図面
【補正対象項目名】図７
【補正方法】変更
【補正の内容】
【図７】
2005058389.tif 000016